(57)【特許請求の範囲】
【請求項１】
カセットから媒体を繰出し、繰出した媒体に印字等の処理を行う媒体処理装置において、
前記カセットから繰出された媒体の長さ及び厚さを検知するセンサと、
前記カセット内に整列して収納されたすべての媒体の端部の画像を取得する画像取得手段と、
前記カセット内の媒体の収納枚数を記憶する記憶手段を備え、
前記センサの検知結果から媒体の重送の発生の有無を判断し、重送が発生している場合は前記画像取得手段により前記カセット内のすべての媒体の画像を取得して、その画像から媒体の枚数を算出すると共に、算出した枚数と前記記憶手段に記憶しているカセット内の媒体の枚数の差から重送枚数を算出して前記記憶手段に記憶させることを特徴とする媒体処理装置。
【請求項２】
カセットから媒体を繰出し、繰出した媒体に印字等の処理を行う媒体処理装置において、
前記カセット内に整列して収納されたすべての媒体の端部の画像を取得する画像取得手段と、
前記カセット内の媒体の収納枚数を記憶する記憶手段を備え、
前記カセットから媒体が繰出されたとき、前記画像取得手段により前記カセット内のすべての媒体の画像を取得して、その画像から媒体の枚数を算出すると共に、算出した枚数と前記記憶手段に記憶しているカセット内の媒体の枚数を比較して、媒体の重送の発生の有無を判断し、重送が発生している場合は前記枚数の差から媒体の重送枚数を算出して前記記憶手段に記憶させることを特徴とする媒体処理装置。
【発明の詳細な説明】
【技術分野】
【０００１】
本発明は、金融機関で使用される通帳や証書等の媒体に印字等の処理を行って発行する媒体処理装置に関するものである。
【背景技術】
【０００２】
従来の媒体処理装置として、例えば、特許文献１に示されるものがある。
この媒体処理装置では、媒体を収納したカセットから媒体を繰出して処理部に搬送し、処理部で機械的な重送検知センサ等により媒体の複数枚の繰出しや重ね送り等の重送を検知する。
重送が検知されない場合、媒体に印字等の処理を行って発行し、重送が検知された場合は、その媒体をリジェクト部に搬送して取り込むものとなっている。
【特許文献１】特開平１１−６６３９１号公報
【発明の開示】
【発明が解決しようとする課題】
【０００３】
しかしながら、上述した従来の技術においては、以下の問題がある。
一般にこの種の媒体処理では、比較的厚さのある媒体の重送は検知できるものの、重送枚数あるいは冊数を正確に特定することは困難であり、従って重送が検知され、リジェクト部に取込まれた媒体を後でオペレータ等が取出したとき、その枚数が重送枚数と一致するか否かを確認することができず、正確な管理が行えないという問題がある。
【０００４】
また、厚さが薄い媒体の場合、温度や湿度の影響により、媒体同士が密着することがあり、このような媒体が繰出されて搬送された場合、重送の検知が困難であるため、そのまま印字等の処理が行われて発行されてしまうという問題もあった。
本発明は、このような問題を解決することを課題とする。
【課題を解決するための手段】
【０００５】
そのため、本発明は、カセットから媒体を繰出し、繰出した媒体に印字等の処理を行う媒体処理装置において、前記カセットから繰出された媒体の長さ及び厚さを検知するセンサと、前記カセット内に整列して収納されたすべての媒体の端部の画像を取得する画像取得手段と、前記カセット内の媒体の収納枚数を記憶する記憶手段を備え、前記センサの検知結果から媒体の重送の発生の有無を判断し、重送が発生している場合は前記画像取得手段により前記カセット内のすべての媒体の画像を取得して、その画像から媒体の枚数を算出すると共に、算出した枚数と前記記憶手段に記憶しているカセット内の媒体の枚数の差から重送枚数を算出して前記記憶手段に記憶させることを特徴とする。
【発明の効果】
【０００６】
このようにした本発明は、媒体の重送枚数を特定することができると共に、その特定した重送枚数とリジェクト部に収納した重送媒体の突合せを行うことが可能になり、媒体の管理を確実に行うことが可能になるという効果が得られる。
【発明を実施するための最良の形態】
【０００７】
以下、図面を参照して本発明による媒体処理装置の実施例を説明する。
【実施例】
【０００８】
図１は第１の実施例を示す概略構成図である。
図において１は媒体処理装置で、この媒体処理装置１は、カセット２、カセット収納部３、ホッパ部４、搬送路５、処理部６、スタック部７、リジェクト部８、イメージセンサモジュール（画像取得手段）９、表示操作部１０、記憶部（記憶手段）１１、及びこれら各部を制御する制御部１２等を備えており、制御部１２は通信回線１３を介してホストサーバ（上位装置）１４に接続されている。
【０００９】
ここで、カセット収納部３はホッパ部４に沿ってその両側に複数段設けられており、各カセット収納部３には番号が付与され、その番号により制御部１２がカセット２の装着の有無等を管理するものとなっている。
各カセット収納部３に取外し可能に装着されたカセット２内には通帳や証書等の媒体１６が斜めに傾斜した状態で整列させて収納されており、コイルスプリング等により付勢された押圧版によって繰出し口側に押圧されている。
【００１０】
また、カセット２内の媒体１６は図示しないローラ等による繰出し手段により１枚（１冊）づつ繰出され、繰出された媒体１６はホッパ部４に取込まれて搬送路５へ移送されるものとなっている。
処理部６は搬送路５に沿って配置された磁気ヘッド、印字手段等を有し、前記ホッパ部４から搬送路５に送り込まれた媒体１６は処理部６に搬送され、媒体１６が通帳の場合、磁気ストライプに対する磁気データの書込み及び読取り、表紙及び頁の順めくりあるいは逆めくり、頁検知、印字済行数検知、印字が行われて、すべての処理が終わった後、スタック部７に搬送されて発行され、媒体１６が証書の場合は印字が行われてスタック部７に搬送されて発行される。
【００１１】
また処理部６には、媒体１６の長さを検知する長さ検知センサ１７と、媒体１６の厚さを検知する厚さ検知センサ１８が設けられており、このセンサ１７，１８の検知結果から制御部１２で媒体１６に重送が発生したと判断された場合、その媒体１６はリジェクト部８に搬送されて回収、保管されるものとなっている。
イメージセンサモジュール９は、各カセット収納部３のカセット２上方に位置するように設けられている。
【００１２】
このイメージセンサモジュール９としては、例えば光源とＲＢＧフィルタ付のＣＣＤカメラによって構成される光学センサが用いられ、この光学センサはカセット２に収納されている媒体１６の整列方向（水平方向）に移動して、すべての媒体１６の上部（端部）の画像を取得し、その画像を制御部１２に送信することで、制御部１２はその画像から媒体１６の枚数（冊数）の計数を行うものとなっている。
【００１３】
表示操作部１０は、ＬＣＤ等の表示部（報知手段）と、この表示部上に配置されたオペレータ（係員）操作用のタッチパネルにより構成されている。
記憶部１１は各カセット収納部３に装着されたカセット２毎の媒体１６の種別や収納数（残り枚数または冊数）、重送の識別に用いる媒体１６の長さや厚さの基準値等の媒体１６に関する情報を記憶する部位であり、この記憶部１１には媒体発行時や重送発生時等に表示操作部１０に表示する画面の画面情報、及び制御プログラム等も格納されている。
【００１４】
制御部１２は、記憶部１１記憶された制御プログラムに従ってホッパ部４、搬送路５、処理部６、スタック部７、リジェクト部８、イメージセンサモジュール９、表示操作部１０等を制御し、媒体１６の発行処理を実行させると共に、イメージセンサモジュール９の取得画像に基づいて各カセット２内の媒体１６の計数、重送枚数の算出等を行う各種の手段として機能を有する。
【００１５】
また、制御部１２は、外部インタフェースを有し、媒体１６発行の際に必要に応じて外部インタフェースにより通信回線１３を介してホストサーバ１４と接続し、ホストサーバ１４とデータの授受を行って処理部６に媒体１６への印字や磁気記録を実行させると共に、媒体発行の際カセット２から繰出された媒体１６をカウントして記憶部１１に記憶されている媒体の残り枚数（冊数）を更新する。
【００１６】
ホストサーバ１４は、各顧客の氏名、電話番号、支店番号、口座種別、口座番号等の顧客情報や未記帳データ等を記憶した図示しないデータベースを管理する装置である。
オペレータは媒体発行処理をしていない媒体発行装置１の空き時間に媒体１６の補充操作を行う。すなわち、オペレータは補充を要するカセット収納部３からカセット２を取り出し、その取り出したカセット２内に媒体１６を補充（収納）した後、カセット２を再びカセット収納部３に装着する（Ｓ１）。
【００１７】
各カセット２の取り出しと装着は、各カセット収納部３に設けられている図示しないセンサにより検知され、そのセンサの出力により制御部１２はカセット２の着脱を認識して、補充が行われたカセット２に対する計数指示を誘導する画面を表示操作部１０に表示する。
【００１８】
図２は上述した構成の作用を示すフローチャートで、以下にこの図を参照して第１の実施例の作用をＳで示したステップに従って説明する。
Ｓ１：  オペレータが媒体処理装置１の補充を要するカセット収納部３からカセット２を取出して、その取出したカセット２内に媒体１６を補充（収納）した後、カセット２を再びカセット収納部３に装着し、表示操作部１０で各カセット収納部３内の媒体１６の収納数（枚数または冊数）を入力すると、入力された収納数は記憶部１１に登録される。
Ｓ２：  媒体処理装置１の制御部１２は、オペレータが表示操作部１０で入力した媒体１６の指定枚数分の発行処理の指示と発行に必要なデータを受信するか、もしくは通信回線１３を経由してホストサーバ１４から媒体１６の指定枚数分の発行処理の指示と発行に必要なデータを受信する。
Ｓ３：  これにより制御部１２は、所定のカセット２内の媒体１６を図示しない繰出し手段により１枚（１冊）繰出し、繰出された媒体１６はホッパ部４に取込まれて搬送路５へ移送される。
【００１９】
Ｓ４：  制御部１２は記憶部１１に記憶されている該当カセット２内の収納枚数から繰出した枚数を減算（−１）して収納枚数を更新する。
Ｓ５：  処理部６は搬送路５により搬送されてきた媒体１６に対して印字や磁気データの書込み等の処理を行うと共に、長さ検知センサ１７により媒体１６の長さを検知し、かつ厚さ検知センサ１８により媒体１６の厚さを検知する。
Ｓ６：  制御部１２は長さ検知センサ１７及び厚さ検知センサ１８の検知結果と記憶部１１に記憶されている該当媒体の長さ及び厚さの基準値を比較して媒体１６の重送の有無つまり重送が発生したか否かを判断する。
【００２０】
Ｓ７：  重送は発生していないと判断した場合、制御部１２は処理部６に指示して印字やデータの書込み処理等が済んだ媒体１６を搬送路５によりスタック部７に搬送して排出し、表示操作部１０に処理済みの媒体１６をスタック部７に排出して発行したことを表示する。
Ｓ８：  制御部１２は指定枚数分の媒体１６を発行したかどうかを判断し、発行した場合は処理を終了するが、発行していない場合はＳ３からの処理を繰返す。
Ｓ９：  前記Ｓ６で媒体１６の重送が発生したと判断した場合、制御部１２は重送が発生した媒体１６を搬送路５によりリジェクト部８に搬送し、リジェクト部８に取込んで回収する。
【００２１】
Ｓ１０：  そして制御部１２はイメージセンサモジュール９を駆動して該当カセット２内のすべての媒体１６の上部の画像を取得し、その画像を解析してカセット２内の媒体１６の収納数（残数）を算出する。
Ｓ１１：  制御部１２は記憶部１１に記憶されている該当カセット２の媒体１６の収納数と画像から算出した媒体１６の収納数の差から媒体１６の重送枚数を算出し、その算出した重送枚数を記憶部１１に記憶させる。
Ｓ１２：  制御部１２は画像から算出した媒体１６の収納数を該当カセット２の媒体１６の収納数として記憶部１１に更新登録した後、Ｓ３からの処理を繰返す。
【００２２】
以上説明したように第１の実施例では、媒体の長さ及び厚さを検知するセンサの検知結果からにより媒体の重送が発生したと判断した場合、カセット内のすべての媒体の端部の画像を取得して、その画像を解析することでカセット内の媒体の枚数を算出し、算出した枚数と記憶部に記憶したカセット内の媒体の収納枚数の差から媒体の重送枚数を算出して記憶部に記憶させるため、媒体の重送枚数を特定することができると共に、その特定した重送枚数とリジェクト部に収納した重送媒体の突合せを行うことが可能になり、媒体の管理を確実に行うことが可能となる。
【００２３】
図３は第２の実施例を示す概略構成図である。
この第２の実施例は第１の実施例の処理部６に設けられている長さ検知センサ１７と、媒体１６の厚さを検知する厚さ検知センサ１８を省略したものであり、その他の構成は上述した第１の実施例と同様であるので、同一の符号を付してその説明を省略する。
図４は上述した構成による第２の実施例の作用を示すフローチャートで、以下にこの図を参照して第２の実施例の作用をＳで示したステップに従って説明する。
【００２４】
Ｓ２１：  オペレータが媒体処理装置１の補充を要するカセット収納部３からカセット２を取出して、その取出したカセット２内に媒体１６を補充（収納）した後、カセット２を再びカセット収納部３に装着し、表示操作部１０で各カセット収納部３内の媒体１６の収納数（枚数または冊数）を入力すると、入力された収納数は記憶部１１に登録される。
Ｓ２２：  媒体処理装置１の制御部１２は、オペレータが表示操作部１０で入力した媒体１６の指定枚数分の発行処理の指示と発行に必要なデータを受信するか、もしくは通信回線１３を経由してホストサーバ１４から媒体１６の指定枚数分の発行処理の指示と発行に必要なデータを受信する。
【００２５】
Ｓ２３：  これにより制御部１２は、所定のカセット２内の媒体１６を図示しない繰出し手段により１枚（１冊）繰出し、繰出された媒体１６はホッパ部４に取込まれて搬送路５へ移送される。
Ｓ２４：  制御部１２は記憶部１１に記憶されている該当カセット２内の収納枚数から繰出した枚数を減算（−１）して収納枚数を更新する。
Ｓ２５：  制御部１２はイメージセンサモジュール９を駆動して今媒体１６を繰出したカセット２内のすべての媒体１６の上部の画像を取得し、その画像を解析してカセット２内の媒体１６の収納数（残数）を算出する。
【００２６】
Ｓ２６：  そして制御部１２は記憶部１１に記憶されている該当カセット２の媒体１６の収納数と画像から算出した媒体１６の収納数を比較して、一致するか否かにより媒体１６の重送が発生したか否かを判断する。
Ｓ２７：  重送は発生していないと判断した場合、制御部１２は処理部６に印字や磁気データの書込み処理等を指示し、これにより処理部６で媒体１６に対して印字や磁気データの書込み処理等が行われる。
Ｓ２８：  処理部６は印字や磁気データの書込み処理等を行った媒体１６を搬送路５によりスタック部７に搬送して排出し、そして制御部１２は表示操作部１０に処理済みの媒体１６をスタック部７に排出して発行したことを表示する。
【００２７】
Ｓ２９：  制御部１２は指定枚数分の媒体１６を発行したかどうかを判断し、発行した場合は処理を終了するが、発行していない場合はＳ２３からの処理を繰返す。
Ｓ３０：  前記Ｓ２６で媒体１６の重送が発生したと判断した場合、制御部１２は重送が発生した媒体１６を搬送路５によりリジェクト部８に搬送し、リジェクト部８に取込んで回収する。
Ｓ３１：  その後、制御部１２は記憶部１１に記憶されている該当カセット２の媒体１６の収納数と前記の画像から算出した媒体１６の収納数の差により媒体１６の重送枚数を算出し、その算出した重送枚数を記憶部１１に記憶させる。
Ｓ３２：  制御部１２は画像を解析して算出した媒体１６の収納数を該当カセット２の媒体１６の収納数として更新登録した後、Ｓ２３からの処理を繰返す。
【００２８】
以上説明したように第２の実施例では、媒体の繰出し後にカセット内のすべての媒体の端部の画像を取得して、その画像を解析することでカセット内の媒体の枚数を算出し、算出した枚数を記憶部に記憶したカセット内の媒体の収納枚数の一致、不一致により媒体の重送が発生したか否かを判断すると共に、重送が発生したと判断した場合、前記枚数の差から重送枚数を算出して記憶部に記憶させるため、媒体の長さや厚さを検知するセンサを用いることなく媒体の重送の検出と媒体の重送枚数の特定を行うことができると共に、その特定した重送枚数とリジェクト部に収納した重送媒体の突合せを行うことが可能になり、媒体の管理を確実に行うことが可能となる。
【００２９】
尚、上述した第１、第２の実施例ではカセットに媒体を補充した後、オペレータが入力したカセット内の媒体の収納枚数を記憶部に登録（記憶）するものとしたが、カセット内の媒体の画像をイメージセンサモジュールで取得して制御部が媒体の収納枚数を算出し、それを記憶部に登録（記憶）するようにすることも可能である。
【図面の簡単な説明】
【００３０】
【図１】第１の実施例を示す概略構成図
【図２】第１の実施例の作用を示すフローチャート
【図３】第２の実施例を示す概略構成図
【図４】第２の実施例の作用を示すフローチャート
【符号の説明】
【００３１】
１    媒体発行装置
２    カセット
３    カセット収納部
４    ホッパ部
５    搬送路
６    処理部
７    スタック部
８    リジェクト部
９    イメージセンサモジュール
１０  表示操作部
１１  記憶部
１２  制御部
１３  通信回線
１４  ホストサーバ
１６  媒体
１７  長さ検知センサ
１８  厚さ検知センサ
【図１】
0005115227.tif 000002
【図２】
0005115227.tif 000003
【図３】
0005115227.tif 000004
【図４】
0005115227.tif 000005